(57)【特許請求の範囲】
【請求項１】
タービンの構成部であるタービン用静翼の梱包用具であって、
底面を形成する底板と、側面を形成する４枚の側板とを備え、その外観形状が直方体を呈する、強化段ボールからなる外箱と、
底面を形成する底板と、側面を形成する４枚の側板とを備え、その外観形状が直方体を呈し、かつ、内部に前記タービン用静翼を収容するとともに、前記外箱の中に収容される、強化段ボールからなる複数の内箱と、
前記外箱の開口部を塞ぐ、強化段ボールからなる蓋体とを備えていることを特徴とするタービン用静翼の梱包用具。
【請求項２】
隣り合う前記内箱は、前記内箱の前記側板同士が接するようにして前記外箱に収容される請求項１に記載のタービン用静翼の梱包用具。
【請求項３】
前記内箱の底板の上面に、前記タービン用静翼の底面、および前記タービン用静翼の側面における先端を支持する支持部材が取り付けられており、前記タービン用静翼が前記内箱内に収容された際、前記タービン用静翼の底面と、前記内箱の底板との間に隙間ができるように構成されていることを特徴とする請求項１または２に記載のタービン用静翼の梱包用具。
【請求項４】
前記内箱内に収容された前記タービン用静翼の頂部を受け入れる穴が中央部に形成されているとともに、前記内箱内に収容された前記タービン用静翼の頂部の揺動を阻止する、強化段ボールからなる頂部固定具が設けられていることを特徴とする請求項１から３のいずれか一項に記載のタービン用静翼の梱包用具。
【請求項５】
前記蓋体を被せた際に、前記タービン用静翼の天面と、前記蓋体の下面との間に形成される空間内に、前記タービン用静翼の主に上下方向の移動を阻止する、強化段ボールからなる天押さえ積層品ブロックが設けられていることを特徴とする請求項１から４のいずれか一項に記載のタービン用静翼の梱包用具。
【請求項６】
タービンの構成部であるタービン用静翼の梱包用具であって、
底面を形成する底板と、側面を形成する４枚の側板とを備え、その外観形状が直方体を呈する、強化段ボールからなる外箱と、
底面を形成する底板と、側面を形成する４枚の側板とを備え、その外観形状が直方体を呈し、かつ、内部に前記タービン用静翼を収容するとともに、前記外箱の中に収容される、強化段ボールからなる少なくとも一つのの内箱と、
前記外箱の開口部を塞ぐ、強化段ボールからなる蓋体とを備え、
前記内箱の底板の上面に、前記タービン用静翼の底面、および前記タービン用静翼の側面における先端を支持する支持部材が取り付けられており、前記タービン用静翼が前記内箱内に収容された際、前記タービン用静翼の底面と、前記内箱の底板との間に隙間ができるように構成されていることを特徴とするタービン用静翼の梱包用具。
【請求項７】
タービンの構成部であるタービン用静翼の梱包用具であって、
底面を形成する底板と、側面を形成する４枚の側板とを備え、その外観形状が直方体を呈する、強化段ボールからなる外箱と、
底面を形成する底板と、側面を形成する４枚の側板とを備え、その外観形状が直方体を呈し、かつ、内部に前記タービン用静翼を収容するとともに、前記外箱の中に収容される、強化段ボールからなる少なくとも一つのの内箱と、
前記外箱の開口部を塞ぐ、強化段ボールからなる蓋体とを備え、
前記内箱内に収容された前記タービン用静翼の頂部を受け入れる穴が中央部に形成されているとともに、前記内箱内に収容された前記タービン用静翼の頂部の揺動を阻止する、強化段ボールからなる頂部固定具が設けられていることを特徴とするタービン用静翼の梱包用具。
【請求項８】
タービンの構成部であるタービン用静翼の梱包用具であって、
底面を形成する底板と、側面を形成する４枚の側板とを備え、その外観形状が直方体を呈する、強化段ボールからなる外箱と、
底面を形成する底板と、側面を形成する４枚の側板とを備え、その外観形状が直方体を呈し、かつ、内部に前記タービン用静翼を収容するとともに、前記外箱の中に収容される、強化段ボールからなる少なくとも一つのの内箱と、
前記外箱の開口部を塞ぐ、強化段ボールからなる蓋体とを備え、
前記蓋体を被せた際に、前記タービン用静翼の天面と、前記蓋体の下面との間に形成される空間内に、前記タービン用静翼の主に上下方向の移動を阻止する、強化段ボールからなる天押さえ積層品ブロックが設けられていることを特徴とするタービン用静翼の梱包用具。
【請求項９】
前記タービン用静翼の天面と、前記天押さえ積層品ブロックの下面との間に、シート状の緩衝材が配置されていることを特徴とする請求項５または８に記載のタービン用静翼の梱包用具。
【請求項１０】
前記タービン用静翼が、ガスタービン用タービン４段静翼であることを特徴とする請求項３または６に記載のタービン用静翼の梱包用具。
【請求項１１】
ガスタービンのタービン部を構成するタービン用静翼の梱包方法であって、
底面を形成する底板と、側面を形成する４枚の側板とを備え、その外観形状が直方体を呈する、強化段ボールからなる外箱を組み立てる段階と、
底面を形成する底板と、側面を形成する４枚の側板とを備え、その外観形状が直方体を呈し、かつ、内部に前記タービン用静翼を収容するとともに、前記外箱の中に収容される、強化段ボールからなる少なくとも一つの内箱を組み立てる段階と、
前記外箱の中に前記内箱を収容する段階と、
前記内箱の中に前記タービン用静翼を収容する段階と、
前記外箱の開口部を、強化段ボールからなる蓋体で覆う段階とを備えていることを特徴とするタービン用静翼の梱包方法。
【請求項１２】
前記内箱の底板の上面に、前記タービン用静翼の底面、および前記タービン用静翼の側面における先端を支持する支持部材を取り付ける段階を備え、前記タービン用静翼が前記内箱内に収容された際、前記タービン用静翼の底面と、前記内箱の底板との間に隙間ができるようにしたことを特徴とする請求項１１に記載のタービン用静翼の梱包方法。
【請求項１３】
前記内箱内に収容された前記タービン用静翼の頂部を受け入れる穴が中央部に形成されているとともに、前記内箱内に収容された前記タービン用静翼の頂部の揺動を阻止する、強化段ボールからなる頂部固定具を配置する段階を備えていることを特徴とする請求項１１または１２に記載のタービン用静翼の梱包方法。
【請求項１４】
前記蓋体を被せた際に、前記タービン用静翼の天面と、前記蓋体の下面との間に形成される空間内に、前記タービン用静翼の主に上下方向の移動を阻止する、強化段ボールからなる天押さえ積層品ブロックを配置する段階を備えていることを特徴とする請求項１１から１３のいずれか一項に記載のタービン用静翼の梱包方法。
【請求項１５】
前記タービン用静翼の天面と、前記天押さえ積層品ブロックの下面との間に、シート状の緩衝材を配置する段階を備えていることを特徴とする請求項１４に記載のタービン用静翼の梱包方法。
【請求項１６】
前記タービン用静翼が、ガスタービン用タービン４段静翼であることを特徴とする請求項１２に記載のタービン用静翼の梱包方法。
【発明の詳細な説明】
【技術分野】
【０００１】
本発明は、タービンの構成部であるタービン用静翼の梱包用具およびタービン用静翼の梱包方法に関するものである。
【背景技術】
【０００２】
例えば、特許文献１の図６に開示されたガスタービンのガスタービン用タービン４段静翼は、従来、木製の箱（木箱）からなる梱包用具に収容された状態で運搬されていた。
【先行技術文献】
【特許文献】
【０００３】
【特許文献１】特開２００９−２９９６０１号公報
【発明の概要】
【発明が解決しようとする課題】
【０００４】
しかしながら、木箱を使用した従来の梱包用具および梱包方法では、貨物全体の重量が増大し、輸送費が嵩んでしまうといった問題点があった。
また、蓋体に打ち付けられていた釘を抜いて開梱する際に、木屑が木箱の中（内側）に落ち、その木屑がガスタービン用タービン４段静翼の冷却孔に入り込み、冷却孔を塞いでしまうといったおそれもあった。
さらに、ガスタービン用タービン４段静翼を木箱に収容したり、木箱から取り出したりするとき、あるいは運搬中に、ガスタービン用タービン４段静翼が木箱に接触して、ガスタービン用タービン４段静翼の表面に擦過傷が付いてしまうといったおそれもあった。
さらにまた、木箱の組立・解体作業に多大な時間と労力を要し、作業効率が悪いといった問題点もあった。
このような問題点は、梱包対象がガスタービン用タービン静翼の他にも、ガスタービン用コンプレッサー静翼や蒸気タービン用静翼である場合についてもあてはまる。
【０００５】
本発明は、上記の事情に鑑みてなされたもので、貨物全体の重量を低減させることができるとともに、タービン用静翼の表面への擦過傷を防止することができ、さらに梱包用具を容易に組立・解体することができるタービン用静翼の梱包用具およびタービン用静翼の梱包方法を提供することを目的とする。
【課題を解決するための手段】
【０００６】
本発明は、上記課題を解決するため、以下の手段を採用した。
本発明に係るタービン用静翼の梱包用具は、タービンを構成するタービン用静翼の梱包用具であって、底面を形成する底板と、側面を形成する４枚の側板とを備え、その外観形状が直方体を呈する、強化段ボールからなる外箱と、底面を形成する底板と、側面を形成する４枚の側板とを備え、その外観形状が直方体を呈し、かつ、内部にタービン用静翼を収容するとともに、前記外箱の中に収容される、強化段ボールからなる複数の内箱と、前記外箱の開口部を塞ぐ、強化段ボールからなる蓋体とを備えている。
【０００７】
本発明に係るタービン用静翼の梱包用具によれば、梱包用具全体が、強化段ボールで作られているので、貨物全体の重量を低減させることができ、輸送費の削減を図ることができる。
また、梱包用具全体が、強化段ボールで作られているので、従来使用されていた木箱のように、蓋体に打ち付けられていた釘を抜く必要がなく、開梱する際の木屑が梱包用具の中（内側）に落ち、その木屑がタービン用静翼の冷却孔に入り込み、冷却孔を塞いでしまうといったことも回避することができる。
さらに、梱包用具全体が、強化段ボールで作られているので、タービン用静翼を梱包用具に収容したり、梱包用具から取り出したりするとき、あるいは運搬中に、タービン用静翼が梱包用具に接触したとしても、梱包用具だけが凹むようになっており、タービン用静翼の表面への擦過傷を防止することができる。
さらにまた、梱包用具全体が、強化段ボールで作られているので、従来使用されていた木箱に比べて、容易に組立・解体することができ、組立・解体作業に要する時間と労力を低減させることができて、作業効率を向上させることができる。
【０００８】
上記タービン用静翼の梱包用具において、隣り合う前記内箱は、前記内箱の前記側板同士が接するようにして前記外箱に収容されると好適である。
上記タービン用静翼の梱包用具において、前記内箱の底板の上面に、前記タービン用静翼の底面、および前記タービン用静翼の側面における先端を支持する支持部材が取り付けられており、前記タービン用静翼が前記内箱内に収容された際、前記タービン用静翼の底面と、前記内箱の底板との間に隙間ができるように構成されているとさらに好適である。
【０００９】
このようなタービン用静翼の梱包用具によれば、タービン用静翼が支持部材を介して支持されるようになっているので、運搬中のタービン用静翼の移動を防止することができ、タービン用静翼の表面への擦過傷をさらに防止することができる。
また、タービン用静翼の底面と、内箱の底板との間に隙間が形成されるようになっているので、タービン用静翼の底面と、内箱の底板との接触を防止することができ、タービン用静翼の表面への擦過傷をさらに防止することができる。
【００１０】
上記タービン用静翼の梱包用具において、前記内箱内に収容された前記タービン用静翼の頂部を受け入れる穴が中央部に形成されているとともに、前記内箱内に収容された前記タービン用静翼の頂部の揺動を阻止する、強化段ボールからなる頂部固定具が設けられているとさらに好適である。
【００１１】
このようなタービン用静翼の梱包用具によれば、タービン用静翼の頂部が頂部固定具を介して支持されるようになっているので、運搬中のタービン用静翼の揺動を防止することができ、タービン用静翼の表面への擦過傷をさらに防止することができる。
【００１２】
上記タービン用静翼の梱包用具において、前記蓋体を被せた際に、前記タービン用静翼の天面と、前記蓋体の下面との間に形成される空間内に、前記タービン用静翼の主に上下方向の移動を阻止する、強化段ボールからなる天押さえ積層品ブロックが設けられているとさらに好適である。
【００１３】
このようなタービン用静翼の梱包用具によれば、蓋体を被せた際に、タービン用静翼の天面と、蓋体の下面との間に形成される空間内に、強化段ボールで作られた天押さえ積層品ブロックが配置されることになるので、運搬中におけるタービン用静翼の移動を防止することができ、タービン用静翼の表面への擦過傷をさらに防止することができる。
【００１４】
上記タービン用静翼の梱包用具において、前記タービン用静翼の天面と、前記天押さえ積層品ブロックの下面との間に、シート状の緩衝材が配置されているとさらに好適である。
【００１５】
このようなタービン用静翼の梱包用具によれば、タービン用静翼の天面と、天押さえ積層品ブロックの下面との間に、シート状の緩衝材（例えば、ウレタンシート）が配置されることになるので、運搬中におけるタービン用静翼の移動を防止することができ、タービン用静翼の表面への擦過傷をさらに防止することができる。
【００１６】
上記タービン用静翼の梱包用具において、前記タービン用静翼が、ガスタービン用タービン４段静翼であるさらに好適である。
【００１７】
このようなタービン用静翼の梱包用具によれば、ガスタービン用タービン４段静翼特有の形状を呈する斜めになった底面が、支持部材を介して確実に支持されるようになっているので、ガスタービン用タービン４段静翼を梱包用具に収容する際のガスタービン用タービン４段静翼の転倒を防止することができ、運搬中のガスタービン用タービン４段静翼の移動を防止することができて、ガスタービン用タービン４段静翼の表面への擦過傷を防止することができる。
【００１８】
本発明に係るタービン用静翼の梱包方法は、ガスタービンのタービン部を構成するタービン用静翼の梱包方法であって、底面を形成する底板と、側面を形成する４枚の側板とを備え、その外観形状が直方体を呈する、強化段ボールからなる外箱を組み立てる段階と、底面を形成する底板と、側面を形成する４枚の側板とを備え、その外観形状が直方体を呈し、かつ、内部に前記タービン用静翼を収容するとともに、前記外箱の中に収容される、強化段ボールからなる少なくとも一つの内箱を組み立てる段階と、前記外箱の中に前記内箱を収容する段階と、前記内箱の中に前記タービン用静翼を収容する段階と、前記外箱の開口部を、強化段ボールからなる蓋体で覆う段階とを備えている。
【００１９】
本発明に係るタービン用静翼の梱包方法によれば、梱包用具全体が、強化段ボールで作られているので、貨物全体の重量を低減させることができ、輸送費の削減を図ることができる。
また、梱包用具全体が、強化段ボールで作られているので、従来使用されていた木箱のように、蓋体に打ち付けられていた釘を抜く必要がなく、開梱する際の木屑が梱包用具の中（内側）に落ち、その木屑がタービン用静翼の冷却孔に入り込み、冷却孔を塞いでしまうといったことも回避することができる。
さらに、梱包用具全体が、強化段ボールで作られているので、タービン用静翼を梱包用具に収容したり、梱包用具から取り出したりするとき、あるいは運搬中に、タービン用静翼が梱包用具に接触したとしても、梱包用具だけが凹むようになっており、タービン用静翼の表面への擦過傷を防止することができる。
さらにまた、梱包用具全体が、強化段ボールで作られているので、従来使用されていた木箱に比べて、容易に組立・解体することができ、組立・解体作業に要する時間と労力を低減させることができて、作業効率を向上させることができる。
【００２０】
上記タービン用静翼の梱包方法において、前記内箱の底板の上面に、前記タービン用静翼の底面、および前記タービン用静翼の側面における先端を支持する支持部材を取り付ける段階を備え、前記タービン用静翼が前記内箱内に収容された際、前記タービン用静翼の底面と、前記内箱の底板との間に隙間ができるようにするとさらに好適である。
【００２１】
このようなタービン用静翼の梱包方法によれば、タービン用静翼が支持部材を介して支持されるようになっているので、運搬中のタービン用静翼の移動を防止することができ、タービン用静翼の表面への擦過傷をさらに防止することができる。
また、タービン用静翼の底面と、内箱の底板との間に隙間が形成されるようになっているので、タービン用静翼の底面と、内箱の底板との接触を防止することができ、タービン用静翼の表面への擦過傷をさらに防止することができる。
【００２２】
上記タービン用静翼の梱包方法において、前記内箱内に収容された前記タービン用静翼の頂部を受け入れる穴が中央部に形成されているとともに、前記内箱内に収容された前記タービン用静翼の頂部の揺動を阻止する、強化段ボールからなる頂部固定具を配置する段階を備えているとさらに好適である。
【００２３】
このようなタービン用静翼の梱包方法によれば、タービン用静翼の頂部が頂部固定具を介して支持されるようになっているので、運搬中のタービン用静翼の揺動を防止することができ、タービン用静翼の表面への擦過傷をさらに防止することができる。
【００２４】
上記タービン用静翼の梱包方法において、前記蓋体を被せた際に、前記タービン用静翼の天面と、前記蓋体の下面との間に形成される空間内に、前記タービン用静翼の主に上下方向の移動を阻止する、強化段ボールからなる天押さえ積層品ブロックを配置する段階を備えているとさらに好適である。
【００２５】
このようなタービン用静翼の梱包方法によれば、蓋体を被せた際に、タービン用静翼の天面と、蓋体の下面との間に形成される空間内に、強化段ボールで作られた天押さえ積層品ブロックが配置されることになるので、運搬中におけるタービン用静翼の移動を防止することができ、タービン用静翼の表面への擦過傷をさらに防止することができる。
【００２６】
上記タービン用静翼の梱包方法において、前記タービン用静翼の天面と、前記天押さえ積層品ブロックの下面との間に、シート状の緩衝材を配置する段階を備えているとさらに好適である。
【００２７】
このようなタービン用静翼の梱包方法によれば、タービン用静翼の天面と、天押さえ積層品ブロックの下面との間に、シート状の緩衝材（例えば、ウレタンシート）が配置されることになるので、運搬中におけるタービン用静翼の移動を防止することができ、タービン用静翼の表面への擦過傷をさらに防止することができる。
【００２８】
上記タービン用静翼の梱包方法において、前記タービン用静翼が、ガスタービン用タービン４段静翼であるとさらに好適である。
【００２９】
このようなタービン用静翼の梱包方法によれば、ガスタービン用タービン４段静翼特有の形状を呈する斜めになった底面が、支持部材を介して確実に支持されるようになっているので、ガスタービン用タービン４段静翼を梱包用具に収容する際のガスタービン用タービン４段静翼の転倒を防止することができ、運搬中のガスタービン用タービン４段静翼の移動を防止することができて、ガスタービン用タービン４段静翼の表面への擦過傷を防止することができる。
【発明の効果】
【００３０】
本発明に係るタービン用静翼の梱包用具およびタービン用静翼の梱包方法によれば、貨物全体の重量を低減させることができるとともに、タービン用静翼の表面への擦過傷を防止することができ、さらに梱包用具を容易に組立・解体することができるという効果を奏する。
【図面の簡単な説明】
【００３１】
【図１】本発明の一実施形態に係るガスタービン用タービン４段静翼の梱包用具およびガスタービン用タービン４段静翼の梱包方法を説明するための図であって、パレットの斜視図である。
【図２】本発明の一実施形態に係るガスタービン用タービン４段静翼の梱包用具およびガスタービン用タービン４段静翼の梱包方法を説明するための図であって、パレットおよび外箱の斜視図である。
【図３】本発明の一実施形態に係るガスタービン用タービン４段静翼の梱包用具およびガスタービン用タービン４段静翼の梱包方法を説明するための図であって、内箱にウレタンおよび隙間充填材を取り付ける前の状態を示す斜視図である。
【図４】本発明の一実施形態に係るガスタービン用タービン４段静翼の梱包用具およびガスタービン用タービン４段静翼の梱包方法を説明するための図であって、内箱にウレタンおよび隙間充填材を取り付けた後の状態を示す斜視図である。
【図５】図４に示す静翼受け台を上方から見た平面図である。
【図６】図４に示す静翼受け台を正面から見た断面図である。
【図７】図４に示す静翼受け台を側方から見た断面図である。
【図８】本発明の一実施形態に係るガスタービン用タービン４段静翼の梱包用具およびガスタービン用タービン４段静翼の梱包方法を説明するための図であって、パレット、外箱、および静翼受け台の斜視図である。
【図９】本発明の一実施形態に係るガスタービン用タービン４段静翼の梱包用具およびガスタービン用タービン４段静翼の梱包方法を説明するための図であって、パレット、外箱、静翼受け台、およびガスタービン用タービン４段静翼の斜視図である。
【図１０】本発明の一実施形態に係るガスタービン用タービン４段静翼の梱包用具およびガスタービン用タービン４段静翼の梱包方法を説明するための図であって、パレット、外箱、静翼受け台、ガスタービン用タービン４段静翼、および抜き型の斜視図である。
【図１１】図１０に示す抜き型の斜視図である。
【図１２】図１０に示す静翼受け台の一つを正面から見た断面図である。
【図１３】図１０に示す静翼受け台の一つを側方から見た断面図である。
【図１４】本発明の一実施形態に係るガスタービン用タービン４段静翼の梱包用具およびガスタービン用タービン４段静翼の梱包方法を説明するための図であって、パレット、外箱、静翼受け台、ガスタービン用タービン４段静翼、抜き型、およびウレタンシートの斜視図である。
【図１５】本発明の一実施形態に係るガスタービン用タービン４段静翼の梱包用具およびガスタービン用タービン４段静翼の梱包方法を説明するための図であって、パレット、外箱、静翼受け台、ガスタービン用タービン４段静翼、抜き型、ウレタンシート、および天押さえ積層品ブロックの斜視図である。
【図１６】本発明の一実施形態に係るガスタービン用タービン４段静翼の梱包用具およびガスタービン用タービン４段静翼の梱包方法を説明するための図であって、パレット、外箱、および天キャップの斜視図である。
【図１７】本発明の一実施形態に係るガスタービン用タービン４段静翼の梱包用具およびガスタービン用タービン４段静翼の梱包方法を説明するための図であって、パレット、外箱、天キャップ、結束バンドの斜視図である。
【発明を実施するための形態】
【００３２】
以下、本発明の一実施形態に係るガスタービン用タービン４段静翼の梱包用具およびガスタービン用タービン４段静翼の梱包方法について、図１から図１７を参照しながら説明する。
まず、図１に示すように、フォークリフト（図示せず）で貨物を格納・運搬するためのパレット（荷台）１０を用意する。
つぎに、図２に示すように、底面を形成する底板１１と、側面を形成する４枚の側板１２とを備え、その外観形状が直方体または立方体を呈する外箱（外装ケース：アウターケース）１３をパレット１０の上に載置し、外箱１３の中から底板１１の四隅に鋲材（図示せず）を打ち付けて、外箱１３をパレット１０に対して固定する。
【００３３】
つづいて、図３に示すように、底面を形成する底板１５と、側面を形成する４枚の側板１６とを備え、その外観形状が直方体を呈する内箱（内装ケース：インナーケース）１７を組み立てて、底面を形成する底板１５が開かないように図示しない粘着テープ（例えば、ガムテープ）を貼り付ける。このとき、後述するウレタン（緩衝材：支持部材）１８、隙間充填材（支持部材）１９，２０を底板１５の上面（内側面）１５ａにそれぞれ取り付ける（固定する）両面テープ２１，２２，２３を、底板１５の上面１５ａに貼り付けておく。なお、内箱１７は外観形状が直方体であり、長手方向長さを備えるため、多段のタービン用静翼の梱包に特に好適である。
つぎに、断面視矩形状を呈する棒状のウレタン１８、断面視矩形状を呈する棒状の隙間充填材１９、直角三角柱状を呈する隙間充填材２０を内箱１７の中に入れ、対応する両面テープ２１，２２，２３を介して底板１５の上面１５ａに取り付けて、図４から図７に示す状態とする。
【００３４】
つづいて、図４から図７の状態、すなわち、内箱１７内へのウレタン１８および隙間充填材１９，２０の取り付けが完了した静翼受け台２４を、図８に示すように、静翼受け台２４の下端面（すなわち、底板１５の下面１５ｂ（図６参照））と、外箱１３の底板１１（より詳しくは、底板１１の上面１１ａ（図２参照））とが接するとともに、内箱１７を上方または下方から見た時に長辺をなす側板１６同士が接するようにして外箱１３内に入れる。
【００３５】
つづいて、図示しないエアキャップ等の緩衝材（梱包材）で包まれたガスタービン用タービン４段静翼２５、またはエアキャップ等の緩衝材で包まれていない裸のガスタービン用タービン４段静翼２５を、図９に示すように、静翼受け台２４内にそれぞれ入れる。
なお、静翼受け台２４は、図１２および図１３に示すように、ガスタービン用タービン４段静翼２５の底面２５ａがウレタン１８および隙間充填材１９により支持され、ガスタービン用タービン４段静翼２５の側面２５ｂにおける下端が隙間充填材２０により支持された状態で、ガスタービン用タービン４段静翼２５の底面２５ａと、内箱１７の底板１５（より詳しくは、底板１５の上面１５ａ）との間に６５ｍｍ〜７０ｍｍ程度の隙間ができるように構成されている。
【００３６】
つぎに、図１０に示すように、図１１に示す中央部に平面視平行四辺形状の長穴２６を有する抜き型（頂部固定具）２７を、ガスタービン用タービン４段静翼２５の頂部にそれぞれ被せて、図１２および図１３に示す状態とする。
つづいて、図１４に示すように、外箱１３の開口部を覆い隠す平面視矩形状を呈する板状のウレタンシート（シート状の緩衝材）２８を、静翼受け台２４およびガスタービン用タービン４段静翼２５の上に敷く。
【００３７】
つぎに、図１５に示すように、図１６に示す天面を形成する天板３０と、側面を形成する４枚の側板３１とを備え、その外観形状が直方体を呈する天キャップ（蓋体）３２を被せた際に、ウレタンシート２８の上面２８ａと、天板３０の下面（図示せず）との間に形成される空間内に、ガスタービン用タービン４段静翼２５の主に上下方向の移動を阻止する４本の天押さえ積層品ブロック３３を、ガスタービン用タービン４段静翼２５の配列方向に沿って互いに平行になるようにして配置する。
つづいて、図１６に示すように、外箱１３の開口部を覆い隠すようにして天キャップ（蓋）３２を被せる。
最後に、図１７に示すように、ガスタービン用タービン４段静翼２５を収容した（納めた）外箱１３の開口部が天キャップ３２によって覆われたガスタービン用タービン４段静翼の梱包用具３４と、パレット１０とを、例えば、ポリプロピレン（polypropylene）製の結束バンド３５によって結束（固縛）する。
【００３８】
なお、上述した実施形態では、パレット１０として木製のものを、外箱１３、内箱１７、隙間充填材１９，２０、抜き型２７、天押さえ積層品ブロック３３、天キャップ３２として強化段ボール（トライ・ウォール（登録商標））製のものを採用した。
【００３９】
本実施形態に係るガスタービン用タービン４段静翼の梱包用具およびガスタービン用タービン４段静翼の梱包方法によれば、パレット１０、ウレタン１８、ウレタンシート２８および結束バンド３５を除く梱包用具３４全体が、強化段ボールで作られているので、貨物全体の重量を低減させることができ、輸送費の削減を図ることができる。
また、パレット１０、ウレタン１８、ウレタンシート２８および結束バンド３５を除く梱包用具３４全体が、強化段ボールで作られているので、従来使用されていた木箱のように、蓋体に打ち付けられていた釘を抜く必要がなく、開梱する際の木屑が梱包用具の中（内側）に落ち、その木屑がガスタービン用タービン４段静翼の冷却孔に入り込み、冷却孔を塞いでしまうといったことも回避することができる。
さらに、パレット１０、ウレタン１８、ウレタンシート２８および結束バンド３５を除く梱包用具３４全体が、強化段ボールで作られているので、ガスタービン用タービン４段静翼２５を梱包用具３４に収容したり、梱包用具３４から取り出したりするとき、あるいは運搬中に、ガスタービン用タービン４段静翼２５が梱包用具３４に接触したとしても、梱包用具３４だけが凹むようになっており、ガスタービン用タービン４段静翼２５の表面への擦過傷を防止することができる。
さらにまた、パレット１０、ウレタン１８、ウレタンシート２８および結束バンド３５を除く梱包用具３４全体が、強化段ボールで作られているので、従来使用されていた木箱に比べて、容易に組立・解体することができ、組立・解体作業に要する時間と労力を低減させることができて、作業効率を向上させることができる。
【００４０】
また、ガスタービン用タービン４段静翼２５の頂部が抜き型２７を介して支持されるようになっているので、運搬中のガスタービン用タービン４段静翼２５の揺動を防止することができ、ガスタービン用タービン４段静翼２５の表面への擦過傷をさらに防止することができる。
さらに、ガスタービン用タービン４段静翼２５がウレタン１８および隙間充填材１９，２０を介して支持されるようになっているので、運搬中のガスタービン用タービン４段静翼２５の移動を防止することができ、ガスタービン用タービン４段静翼２５の表面への擦過傷をさらに防止することができる。
さらにまた、ガスタービン用タービン４段静翼２５の底面２５ａと、内箱１７の底板１５との間に隙間が形成されるようになっているので、ガスタービン用タービン４段静翼２５の底面２５ａと、内箱１７の底板１５との接触を防止することができ、ガスタービン用タービン４段静翼２５の表面への擦過傷をさらに防止することができる。
【００４１】
また、ガスタービン用タービン４段静翼２５はそれぞれ、固有（専用）の内箱１７に収容されることになるので、ガスタービン用タービン４段静翼２５を梱包用具３４に収容したり、梱包用具３４から取り出したりするとき、あるいは運搬中におけるガスタービン用タービン４段静翼２５同士の接触を防止することができ、ガスタービン用タービン４段静翼２５の表面への擦過傷をさらに防止することができるとともに、梱包用具全体の剛性を高めることができる。
【００４２】
また、蓋体３２を被せた際に、ウレタンシート２８の上面２８ａと、蓋体３２の下面との間に形成される空間内に、強化段ボールで作られた天押さえ積層品ブロック３３が配置されることになるので、運搬中におけるガスタービン用タービン４段静翼２５の移動を防止することができ、ガスタービン用タービン４段静翼２５の表面への擦過傷をさらに防止することができる。
【００４３】
なお、本発明は上述した実施形態のものに限定されるものではなく、適宜必要に応じて変更あるいは変形して実施することもできる。例えば、梱包対象は、ガスタービン用タービン４段静翼に限定されない。すなわち、段数は２段、３段、５段以上であってもよい。また、コンプレッサーに用いる静翼、あるいは蒸気タービン用の静翼であってもよい。
【符号の説明】
【００４４】
１１    底板
１２    側板
１３    外箱
１５    底板
１５ａ  上面
１６    側板
１７    内箱
１８    ウレタン（支持部材）
１９    隙間充填材（支持部材）
２０    隙間充填材（支持部材）
２５    ガスタービン用タービン４段静翼（タービン用静翼）
２５ａ  底面
２５ｂ  側面
２６    長穴（穴）
２７    抜き型（頂部固定具）
２８    ウレタンシート（シート状の緩衝材）
３２    天キャップ（蓋体）
３３    天押さえ積層品ブロック
３４    梱包用具
【図１】
0005570836.tif 000002
【図２】
0005570836.tif 000003
【図３】
0005570836.tif 000004
【図４】
0005570836.tif 000005
【図５】
0005570836.tif 000006
【図６】
0005570836.tif 000007
【図７】
0005570836.tif 000008
【図８】
0005570836.tif 000009
【図９】
0005570836.tif 000010
【図１０】
0005570836.tif 000011
【図１１】
0005570836.tif 000012
【図１２】
0005570836.tif 000013
【図１３】
0005570836.tif 000014
【図１４】
0005570836.tif 000015
【図１５】
0005570836.tif 000016
【図１６】
0005570836.tif 000017
【図１７】
0005570836.tif 000018